(57)【要約】      （修正有）【課題】方形状の底板及び左右壁からなる紙製シートと、方形状の底板及び前後壁からなる紙製シートとを、別体形成し、重ね合せる底板同士の位置ズレが効率的に防止される包装用紙箱を提供する。【解決手段】方形状の底板２の左右辺に折目４ａ，４ａを介して連接された左右壁３，３を有する紙製シート４と、方形状の底板６の前後辺に折目を介して連接された前後壁７，７を有する紙製シート８とを別体で備え、前記２つの紙製シート４，８同士が交差するようにして、互いの底板２，６同士を重ね合せ、重なり合った底板２，６から立上る左右壁３，３及び前後壁７，７によって底板２，６の上方側を覆う周壁を構成し、重なり合った底板２，６同士を位置決め固定する位置決め固定手段を、底板２，６に設ける。【選択図】図５
0003174450.tif 000002
【実用新案登録請求の範囲】
【請求項１】
方形状の底板（２）及び該底板（２）の左右辺に折目（４ａ，４ａ）を介して連接された左右壁（３，３）からなる紙製シート（４）と、方形状の底板（６）及び該底板（６）の前後辺に折目（８ａ，８ａ）を介して連接された前後壁（７，７）からなる紙製シート（８）とを別体で備え、前記２つの紙製シート（４，８）同士が交差するようにして、互いの底板（２，６）同士を重ね合せ、重なり合った底板（２，６）から立上る左右壁（３，３）及び前後壁（７，７）によって底板（２，６）の上方側を覆う周壁を構成した包装用紙箱において、重なり合った底板（２，６）同士を位置決め固定する位置決め固定手段を、底板（２，６）に設けた包装用紙箱。
【請求項２】
底板（２，６）同士を接着することにより位置決め固定手段を構成した請求項１記載の包装用紙箱。
【請求項３】
一方の底板（２）に形成された係合爪（１３）を、他方の底板（６）に形成された係合部（６ａ）に係脱可能に係合させることにより、該底板（２，６）同士の固定を行う位置決め固定手段を構成した請求項１又は２の何れかに記載の包装用紙箱。
【請求項４】
係止爪（１３）を、一方側底板（２）の四隅にそれぞれ設けるとともに、該係止爪（１３）を係合させる係合部（６ａ）を、他方側底板（６）の四隅にそれぞれ設けた請求項３記載の包装用紙箱。
【請求項５】
底板（２，６）同士を回動可能に連結固定する連結具（１７）によって位置決め固定手段を構成した請求項１記載の包装用紙箱。
【請求項６】
連結具（１７）が、紙製シート（４，８）の回動支点になる上下方向の連結ピンであり、底板（２）上の食品を位置決めして係止するように該底板（２）から上方突出する係止ピン（２１ｂ）又は係止爪を、連結ピン（１７）の上端部に一体的に形成した請求項５記載の包装用紙箱。
【請求項７】
前後壁（７，７）側の底板（６）上に、左右壁（３，３）側の底板（２）を載置した請求項１乃至６の何れかに記載の包装用紙箱。
【請求項８】
上側の底板（２）における周壁（３，３）が連接されていない側の一対の辺を、上向きに起立させるとともにさらに下向きに折曲げて重ね合せ、該重ね合せ面同士を接着することにより、襞状の起立部（１１）を形成した請求項１乃至７の何れかに記載の包装用紙箱。
【請求項９】
前後壁（７，７）の上端部同士を重ね合せて左右方向の把手部（９）を一体的に形成し、この把持部（９）の左右両端側に、左右壁（３，３）の上部側を係脱自在に係合させた請求項１乃至８の何れかに記載の包装用紙箱。
【考案の詳細な説明】
【技術分野】
【０００１】
この考案は、包装用紙箱に関する。
【背景技術】
【０００２】
方形状の底板及び該底板の左右辺に折目を介して連接された左右壁からなる紙製シートと、方形状の底板及び該底板の前後辺に折目を介して連接された前後壁からなる紙製シートとを別体で備え、前記２つの紙製シート同士が交差するようにして、互いの底板同士を重ね合せ、重なり合った底板から立上る左右壁及び前後壁によって底板の上方側を覆う周壁を構成した特許文献１に示す包装用紙箱が公知になっている。
【先行技術文献】
【特許文献】
【０００３】
【特許文献１】実用新案登録第３１６８９５７号公報
【考案の概要】
【考案が解決しようとする課題】
【０００４】
方形状の底板及び左右壁からなる紙製シートと、方形状の底板及び前後壁からなる紙製シートとを、それぞれ板紙を打抜くことによって成形可能であるため、紙の使用量が少なくてすみ、手間も掛からず、製造コストが低減されるとともに、底板同士が重ね合されているため、強度が高く、底板上に載せる食品等の対象物を重く設定できる。
しかし、重ね合せた底板同士が互いにフリーな状態であるため、組立時や包装時に底板同士がずれる場合があり、組立作業が効率的にできない場合や、底板上に対象物を迅速に載せられない場合がある。
【０００５】
本考案は、方形状の底板及び左右壁からなる紙製シートと、方形状の底板及び前後壁からなる紙製シートとを、別体形成し、重ね合せる底板同士の位置ズレが効率的に防止される包装用紙箱を提供することを課題とする。
【課題を解決するための手段】
【０００６】
上記課題を解決するため第１に、方形状の底板２及び該底板２の左右辺に折目４ａ，４ａを介して連接された左右壁３，３からなる紙製シート４と、方形状の底板６及び該底板６の前後辺に折目８ａ，８ａを介して連接された前後壁７，７からなる紙製シート８とを別体で備え、前記２つの紙製シート４，８同士が交差するようにして、互いの底板２，６同士を重ね合せ、重なり合った底板２，６から立上る左右壁３，３及び前後壁７，７によって底板２，６の上方側を覆う周壁を構成した包装用紙箱において、重なり合った底板２，６同士を位置決め固定する位置決め固定手段を、底板２，６に設けたことを特徴としている。
【０００７】
第２に、底板２，６同士を接着することにより位置決め固定手段を構成したことを特徴としている。
【０００８】
第３に、一方の底板２に形成された係合爪１３を、他方の底板６に形成された係合部６ａに係脱可能に係合させることにより、該底板２，６同士の固定を行う位置決め固定手段を構成したことを特徴としている。
【０００９】
第４に、係止爪１３を、一方側底板２の四隅にそれぞれ設けるとともに、該係止爪１３を係合させる係合部６ａを、他方側底板６の四隅にそれぞれ設けたことを特徴としている。
【００１０】
第５に、底板２，６同士を回動可能に連結固定する連結具１７によって位置決め固定手段を構成したことを特徴としている。
【００１１】
第６に、連結具１７が、紙製シート４，８の回動支点になる上下方向の連結ピンであり、底板２上の食品を位置決めして係止するように該底板２から上方突出する係止ピン２１ｂ又は係止爪を、連結ピン１７の上端部に一体的に形成したことを特徴としている。
【００１２】
第７に、前後壁７，７側の底板６上に、左右壁３，３側の底板２を載置したことを特徴としている。
【００１３】
第８に、上側の底板２における周壁３，３が連接されていない側の一対の辺を、上向きに起立させるとともにさらに下向きに折曲げて重ね合せ、該重ね合せ面同士を接着することにより、襞状の起立部１１を形成したことを特徴としている。
【００１４】
第９に、前後壁７，７の上端部同士を重ね合せて左右方向の把手部９を一体的に形成し、この把持部９の左右両端側に、左右壁３，３の上部側を係脱自在に係合させたことを特徴としている。
【考案の効果】
【００１５】
重なり合った底板同士を、位置決め固定手段によって、位置決め固定するため、重ね合せた底板同士が互いに位置ズレすることが殆ど無く、組立作業を効率的に行うことができる他、底板上に対象物を迅速に載せることが可能である。
【００１６】
また、一方の底板に形成された係合爪を、他方の底板に形成された係合部に係脱可能に係合させることにより、該底板同士の固定を行う位置決め固定手段を構成したものによれば、対象物を包装しない場合には、２つの紙製シート同士の固定を解除して保存しておくことができるため、利便性が高い。
【００１７】
また、底板同士を回動可能に連結固定する連結具によって位置決め固定手段を構成したものによれば、対象物を包装しない場合には、互いを回動させて２つの紙製シートの長手方向を一致させ、コンパクトに保存しておくことができるため、利便性が高い。
【００１８】
さらに、連結具が、紙製シートの回動支点になる上下方向の連結ピンであり、底板上の食品を位置決めして係止するように該底板から上方突出する係止ピン又は係止爪を、連結ピンの上端部に一体的に形成したものによれば、対象物であるケーキ等を位置決め固定するケーキロック等として用いる係止ピン又は係止爪が、連結ピンに一体的に形成されるため、部品点数が増加することがなく、コストを安く抑えることが可能になる。
【００１９】
なお、上側の底板における周壁が連接されていない側の一対の辺を、上向きに起立させるとともにさらに下向きに折曲げて重ね合せ、該重ね合せ面同士を接着することにより、襞状の起立部を形成したものによれば、該起立部によって、底板の強度が向上する。
【図面の簡単な説明】
【００２０】
【図１】本発明を適用した包装用紙箱の斜視図である。
【図２】本包装用紙箱の左右壁の一方を開いた状態を示す斜視図である。
【図３】第１紙製シートの展開図である。
【図４】第２紙製シートの展開図である。
【図５】本包装用紙箱を組立てる途中の状態を示す部分展開図である。
【図６】上下の底板の固定状態を示す側断面図である。
【図７】図１に示す包装用紙箱の他の使用例を示す斜視図である。
【図８】位置決め固定手段の他の構成例を示す側断面図である。
【図９】本発明の他の実施形態を示すものであり、包装用紙箱を組立てる途中の状態を示す部分展開図である。
【図１０】連結ピンの構成を示す要部側断面図である。
【図１１】（Ａ），（Ｂ）は上下の底板同士を回動自在に連結する連結具の変形例を示す要部側断面図及び平面図である。
【考案を実施するための形態】
【００２１】
図１は、本発明を適用した包装用紙箱の斜視図であり、図２は、本包装用紙箱の左右壁の一方を開いた状態を示す斜視図であり、図３は、第１紙製シートの展開図であり、図４は、第２紙製シートの展開図であり、図５は、本包装用紙箱を組立てる途中の状態を示す部分展開図であり、図６は、上下の底板の固定状態を示す側断面図である。
【００２２】
これらの図に示す包装用紙箱１は、左右方向に長い方形状の底板２における左右の短辺に、折目４ａ，４ａを介して、左右の周壁３，３を、それぞれ一体的に連接することにより構成された紙製シート（第１紙製シート）４と、左右方向に長い方形状の底板６における前後の長辺に、折目８ａ，８ａを介して、前後の周壁７，７を、それぞれ一体的に連接することにより構成された第２紙製シート（第２紙製シート）８とを備え、第１紙製シート４と第２紙製シート８とを別体形成している。
【００２３】
この各紙製シート４，８は、フレキシブルに変形可能な一枚の板紙を打抜くことにより、一体形成される。
【００２４】
そして、展開状態の２枚の紙製シート２，６を、底板２，６同士が上下に重なり合うようにして、十字状にクロス（さらに具体的には直交）させるとともに、この重なり合された底板２，６同士を、位置決め固定手段によって、位置決め固定する。
【００２５】
続いて、この上下に重ね合されて互いが位置決め固定された底板２，６に対して、左右の周壁である左右壁３，３と、前後の周壁である前後壁７，７とを、折目４ａ，４ａ，８ａ，８ａを介して、上方に折り曲げて起立させ、前後壁７，７の上端部同士を前後に重ね合せることにより左右方向の把手部９を一体形成し、左右壁３，３の上部を把手部９の左右端側にそれぞれ係脱自在に係合させ、これによって、包装用紙箱１の組立が完了する。
【００２６】
この起立した４つの周壁３，３，７，７によって、上下に重ねられた二重の底板２，６の上方スペース（内部スペース）Ｓが覆われる他、この底板２，６の上面側が、食品等の包装対象物（対象物）が載置される載置面になる。すなわち、上記内部スペースＳが、対象物を収容する箱内スペースになる。
【００２７】
なお、上下に重ねられた底板２，６の内、上側に位置する底板２，６（図示する例では、第１紙製シート４の底板２）における周壁３，３，７，７が一体連接されていない側の対向辺（図示する例では、第１紙製シート４の底板２の前後辺）を、それぞれ上側に折り曲げることにより、起立した起立部１１を構成しており、この起立部１１によって底板２，６が補強される。
【００２８】
一方、上下に重ねられた底板２，６の内、下側に位置する底板２，６（図示する例では、第２紙製シート８の底板６）における周壁３，３，７，７が一体連接されていない側の対向辺（図示する例では、第２紙製シート８の底板６の左右辺）を、それぞれ内側（図示する例では、左右内側）に向かって谷をなすように円弧状に切欠き形成し、これによって、上側の底板２，６の一部が底面側で露出させている。
【００２９】
以下各部の構成を説明する。
【００３０】
上記左右壁３，３は、一端が前後方向の折目４ａ，４ａを介して底板２の左右辺と連接される連接端になるととも、この連接端の反対側端が自由端になり、折目４ａ，４ａを介して、左右壁３，３を底板２に対して起立するように折曲げると、該左右の側壁３，３の連接端が下端に位置するとともに自由端が上端に位置した状態になる。
【００３１】
また、左右各周壁３，３の自由端寄り箇所には、該周壁３の全長方向（側壁３を起立させた状態では上下方向）に延びる切込み又は長孔である係合部３ａが形成される。この左右壁３，３の前後各縁における連接端寄り部分が、前後方向外側に山形に盛上る円弧状に形成され、左右壁３，３の前後各縁における自由端寄り部分が、上記円弧状部分から連続し且つ先端側に向かって前後方向内側に傾斜した形状に成形され、この傾斜部分には、円弧が複数連続形成された装飾が施されている。左右壁３，３の自由端が、底板２の左右辺に平行な直線状に形成されている。
【００３２】
上記底板２は、左右壁３，３と共に第１紙製シート４に一体成形され、この底板２の前後各辺には、上述した通り起立部１１が形成されている。起立部１１の構成を具体的に説明すると、底板の上記一対の対向辺である前後辺を、左右方向の折目４ｂ、４ｂを境に、上方側の折り曲げる。さらに、この上方に折り曲げた部分を、左右方向の折目４ｃ，４ｃを境に、自身の内面側（具体的には、前後内面側）に二つ折りにして重ね合せ、この重ね合せ面同士を接着することにより、左右方向に帯状に延びて且つ襞状をなす起立部１１を形成している。この起立部１１は、前後璧７，７の前後内面側に沿って密着又は近接するようにして、立設される。
【００３３】
言換えると、展開時における底板２の前後辺は、左右壁３，３に対して前後外側に延出されており、この延出部分が起立側形成部１２になり、この起立側形成部１２を、折目４ｂを介して上方側に折り曲げるとともに、折目４ｃを介して内側に二つ折りすることにより、起立部９が形成される。ちなみに、各起立側形成部１２は、折目４ｃを境に対称な形状に成形されている他、組立時における起立部９の上端は、正面視山形に盛上る円弧状に形成されている。
【００３４】
また、この底板２の四隅側には、それぞれ前後方向内側に山形をなす円弧状の形成孔２ａが、紙製シート４の表裏を貫通した状態で穿設されており、この形成孔２ａによって、半円状の係合爪１３が形成される。ちなみに、４つの各係合爪１３は、全て同一形状に形成されるとともに、前後対称且つ左右対称になるように配置構成されている。
【００３５】
上記前後壁７，７は、一端が前後方向の折目８ａ，８ａを介して底板６の前後辺と連接される連接端になるととも、この連結端の反対側端が自由端になる。そして、折目８ａ，８ａを介して、前後璧７，７を底板６に対して起立するように折曲げると、該前後の周壁７，７の連接端が下側に位置するとともに自由端が上側に位置した状態になる。ちなみに、前後の周壁７，７の左右各縁は、外側に山形に膨出した円弧状に形成されている。
【００３６】
この前後璧７，７の上端部（自由端部）は把手側形成部１４になり、この把手側形成部１４を互いに前後に重ね合せることにより、左右方向の把手部９が形成される。具体的には、前後の各周壁７，７の左右方向の折目８ｂを境にした自由端寄り箇所が、把手側形成部１４になる。ちなみに、この一対の把手側形成部１４は、展開時、その外形が互いに前後対称になる。
【００３７】
上記把手部９は、前後の把手側形成部１４同士を重ね合せ、前後壁７，７の折目８ｂ，８ｂよりも下方部分を、該折目８ｂ，８ｂを介して、前後外側に折り曲げることにより、構成されている。
【００３８】
この把手部９の左右両端部には、先端が上方左右内側に突出し且つ上方側が開放されたフック部１６がそれぞれ形成され、把手部９における左右のフック部１６，１６の間には、左右方向に長い持ち手孔９ａが穿設されている。この持ち手孔６ａに指を差入れて把手部６を把持することにより、持ち易さを向上させている。
【００３９】
ちなみに、持ち手孔６ａは、一方の把手側形成部１４に形成され、他方の把手側形成部１４には、持ち手孔６ａと同一形状をなし且つ前記折目８ｂによって折り曲げられる閉塞片１４ａが切抜形成され、この閉塞片１４ａを持ち手孔９ａに挿通させ、該閉塞片１４ａが設けられていない側の周壁７，７の外面に折畳むことにより、前後の把手側形成部１４，１４同士を密着させている。
【００４０】
フック部１６は、左右外側に向かって下方に傾斜する上方開放型のスリット状部１６ａによって、その形が成形されている。そして、把手部９の左右両端部を、左右壁３，３の係合部３ａ，３ａにそれぞれ挿通させ、該係合部３ａの上端を、フック部１６（さらに具体的にはスリット状部１６ａ）に引掛けることにより、把手部９の左右両端側が、左右壁３，３の上部に係脱自在に係合される。
【００４１】
上記底板６は、左右壁７，７と共に第２紙製シート８に一体成形されている。この底板６は、上下に重ねられる底板２，６の下側に位置した状態になる。
【００４２】
また、底板６の四隅は、重ね合せ時、底板２側の係合爪１３とラップする位置であり、この四隅には、係合爪１３を挿入して係止する係合孔（係合部）６ａがそれぞれ穿設されている。
【００４３】
そして、底板２，６同士を上下に重ね合せ、各形状孔２ａから対応する係合孔６ａを露出させた状態で、各係合爪１３を、対応する各係合孔６ａに挿脱自在に挿入することにより、底板２，６同士の位置決め固定を行う。ちなみに、係合時、係合爪１３は、上下一対の底板２，６の下側に位置する底板６のさらに下面側に位置した状態になる。
【００４４】
以上、４つの係合爪１３と、それに対応する４つの係合孔６ａとが、上下に重ねられた底板２，６同士を係脱自在に係合固定する位置決め固定手段を構成している。
【００４５】
図７は、図１に示す包装用紙箱の他の使用例を示す斜視図である。同図に示す例では、閉塞片１４ａを、下方に折り曲げ、該閉塞片１４ａが設けられていない側の周壁７，７の内面（さらに具体的には前後内面側）に当接させており、これによって、内部スペースＳの上方側の密閉度を向上させている。
【００４６】
図８は、位置決め固定手段の他の構成例を示す側断面図である。同図に示す通り、上下に重ね合せた底板２，６同士を、互いの重ね合せ面の略全体に亘り、接着剤１５によって、接着固定することにより、前記位置決め固定手段を構成してもよい。また、この接着固定と併せて、係合爪１３を係合孔６ａに係合させ、上下に重ね合せた底板２，６同士を固定してもよい。
【００４７】
次に、図９及び図１１に基づき、本発明の別実施形態について上述の形態と異なる点を説明する。
図９は、本発明の他の実施形態を示すものであり、包装用紙箱を組立てる途中の状態を示す部分展開図である。同図に示す例では、２つの紙製シート４，８の底板２，６中心（前後方向中心且つ左右方向中心）同士を、上下方向の連結ピン（連結具）１７によって、回動自在に連結固定し、これによって、上記位置決め固定手段を構成している。
【００４８】
図１０は、連結ピンの構成を示す要部側断面図である。連結ピン１７は、ヘッド１８ａ及び軸部１８ｂを有する雄ピン１８と、ヘッド１９ａ及び軸部１９ｂを有する雌ピン１９とから構成され、雌ピン１９の筒状の軸部１９ｂを２つの底板２，６に上下方向から挿通させ、該軸部１９ｂの開放された先端部を底板２，６から突出させ、該軸部１９ｂの内周側に、上記開放端から、雄ピン１８の軸部１８ｂを嵌入固定し、該２つのピン１８，１９のヘッド１８ａ，１９ａ間に、２つの底板２，６を挟み込むようにして、底板２，６の中心部同士を回動自在に連結固定する。ちなみに、２つの底板２，６は、互いに、連結ピン１７の軸回りに回動する状態になる。
【００４９】
この連結ピン１７の構成によって、図１０に実線と仮想線で示す通り、２つの紙製シート４，８は、互いが直交した組立可能状態と、長手方向が一致してコンパクトに格納された格納状態とに切換可能に構成される。
【００５０】
図１１（Ａ），（Ｂ）は上下の底板同士を回動自在に連結する連結具の変形例を示す要部側断面図及び平面図である。同図に示す例では、連結具１７の上端部が、上下に重ねられた底板２，６の上側に位置する底板２の上面側に位置し、この連結具１７の上端部に、食品等の包装対象物を位置決め係止する係止具２１を、一体的に形成している。係止具２１は、ヘッドとしても機能する底板２上に位置する円形且つ板状の台２１ａと、この台２１ａから上方に一体的に突出形成された一又は複数の係止ピン２１ｂ又は図示しない係止爪である係止部とからなる。
なお、係止部を構成する係止ピン２１ｂや係止爪は、複数設けてもよく、二股、三叉、四つ叉等に分岐させてもよい。
【００５１】
そして、ケーキ等のスポンジ状食品である対象物が底板６上に載置されると、この係止部が、対象物の底面側に挿入又は差込まれ、該対象物が、底板２上で、位置決め係止される。ちなみに、図１１に示す係止具はケーキロックと呼ばれるものである。
【符号の説明】
【００５２】
２  底板
３  左右壁（周壁）
４  第１紙製シート（紙製シート）
４ａ  折目
６  底板（底部）
６ａ  係合孔（係合部）
７  前後壁（周壁）
８  第２紙製シート（紙製シート）
８ａ  折目
９  把手部
１１  起立部
１３  係合爪
１７  連結ピン（連結具）
２１ｂ係止ピン
【図１】
0003174450.tif 000003
【図２】
0003174450.tif 000004
【図３】
0003174450.tif 000005
【図４】
0003174450.tif 000006
【図５】
0003174450.tif 000007
【図６】
0003174450.tif 000008
【図７】
0003174450.tif 000009
【図８】
0003174450.tif 000010
【図９】
0003174450.tif 000011
【図１０】
0003174450.tif 000012
【図１１】
0003174450.tif 000013